【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
デバイス間(D2D)通信のための少なくとも1つの時間周波数リソースの第1の部分の伝搬始点を識別するステップと、
送信始点からD2D信号の送信を開始するステップであって、前記送信始点が、前記伝搬始点と、前記伝搬始点に対するセルラ通信システムダウンリンクタイミングオフセットとに基づく、開始するステップと
を含む方法。
【請求項２】
前記少なくとも1つの時間周波数リソースの最後の部分の伝搬終点を識別するステップと、
送信終点において前記D2D信号の送信を終了するステップであって、前記送信終点が、前記伝搬終点と、前記伝搬終点に対するセルラ通信システムダウンリンクタイミングアドバンスとに基づく、終了するステップと
を含む、請求項1に記載の方法。
【請求項３】
受信始点からD2D信号の受信を開始するステップであって、前記受信始点が、前記伝搬始点とセルラ通信システムダウンリンクタイミング受信タイムラインオフセット(RTLO)とに基づく、開始するステップ
をさらに含む、請求項1に記載の方法。
【請求項４】
ワイヤレス通信のための装置であって、
デバイス間(D2D)通信のための少なくとも1つの時間周波数リソースの第1の部分の伝搬始点を識別するための手段と、
送信始点からD2D信号の送信を開始するための手段であって、前記送信始点が、前記伝搬始点と、前記伝搬始点に対するセルラ通信システムダウンリンクタイミングオフセットとに基づく、開始するための手段と
を備える装置。
【請求項５】
前記伝搬始点が、前記第1の部分のネットワーク始点と伝搬遅延とに基づくか、または、
前記伝搬始点が前記第1の部分のUE始点である、
請求項1に記載の方法または請求項4に記載の装置。
【請求項６】
前記少なくとも1つの時間周波数リソースの最後の部分の伝搬終点を識別するための手段と、
送信終点において前記D2D信号の送信を終了するための手段であって、前記送信終点が、前記伝搬終点と、前記伝搬終点に対するセルラ通信システムダウンリンクタイミングアドバンスとに基づく、終了するための手段と
をさらに備える、請求項4に記載の装置。
【請求項７】
前記伝搬終点が、伝搬遅延による前記最後の部分のネットワーク終点の遅延バージョンであるか、または、
前記伝搬終点が、前記最後の部分のUE終点である、
請求項2に記載の方法または請求項6に記載の装置。
【請求項８】
受信始点からD2D信号の受信を開始するための手段であって、前記受信始点が、前記伝搬始点とセルラ通信システムダウンリンクタイミング受信タイムラインオフセットと(RTLO)に基づく、開始するための手段をさらに備える、請求項4に記載の装置。
【請求項９】
前記少なくとも1つの時間周波数リソースの一部の長さが、それぞれのリソースの巡回プレフィックス長(CPL)と前記セルラ通信システムの前記リソースのサブキャリア間隔の逆数の和に等しい、請求項1に記載の方法または請求項4に記載の装置。
【請求項１０】
D2D通信のために使用されることになると判断された前記少なくとも1つの時間周波数リソースが、
前記セルラ通信システムのダウンリンクリソース、または
前記セルラ通信システムのアップリンクリソース
のうちの少なくとも1つに組み込まれる、請求項1に記載の方法または請求項4に記載の装置。
【請求項１１】
前記セルラ通信システムが異種ネットワークとして展開され、D2D通信のために使用されることになる前記少なくとも1つの時間周波数リソースが前記セルラ通信システムのダウンリンクリソースに組み込まれるとき、前記ダウンリンクタイミングオフセットが、以下の式、すなわち、
X=max(delta1,TC)
によって与えられ、Xが、前記ダウンリンクタイミングオフセットであり、delta1が、前記セルラ通信システムのダウンリンク受信リソースからD2D送信のために使用されることになる前記少なくとも1つの時間周波数リソースに切り替えるための遷移時間であり、TCが、前記セルラ通信システムの最大予想伝搬遅延であるか、または、
前記セルラ通信システムが異種ネットワークとして展開され、D2D通信のために使用されることになる前記少なくとも1つの時間周波数リソースが前記セルラ通信システムのアップリンクリソースに組み込まれるとき、前記ダウンリンクタイミングオフセットが、以下の式、すなわち、
X=delta3
によって与えられ、Xが、前記ダウンリンクタイミングオフセットであり、delta3が、前記セルラ通信システムのアップリンク送信リソースからD2D受信のために使用されることになる前記少なくとも1つの時間周波数リソースに切り替えるための遷移時間であるか、または、
前記セルラ通信システムが同種ネットワークとして展開され、D2D通信のために使用されることになる前記少なくとも1つの時間周波数リソースが前記セルラ通信システムのダウンリンクリソースに組み込まれるとき、前記ダウンリンクタイミングオフセットが、以下の式、すなわち、
X=max(delta1,(2-√3)*TC)
によって与えられ、Xが、前記ダウンリンクタイミングオフセットであり、delta1が、前記セルラ通信システムのダウンリンク受信リソースからD2D送信のために使用されることになる前記少なくとも1つの時間周波数リソースに切り替えるための遷移時間であり、TCが、前記セルラ通信システムの最大予想伝搬遅延であるか、または、
前記セルラ通信システムが同種ネットワークとして展開され、D2D通信のために使用されることになる前記少なくとも1つの時間周波数リソースが前記セルラ通信システムのアップリンクリソースに組み込まれるとき、前記ダウンリンクタイミングオフセットが、以下の式、すなわち、
X=delta3
によって与えられ、Xが、前記ダウンリンクタイミングオフセットであり、delta3が、前記セルラ通信システムのアップリンク送信リソースからD2D受信のために使用されることになる前記少なくとも1つの時間周波数リソースに切り替えるための遷移時間である、
請求項1に記載の方法または請求項4に記載の装置。
【請求項１２】
前記セルラ通信システムが異種ネットワークとして展開され、D2D通信のために使用されることになる前記少なくとも1つの時間周波数リソースが前記セルラ通信システムのダウンリンクリソースに組み込まれるとき、前記ダウンリンクタイミングアドバンスが、以下の式、すなわち、
Y=max(delta2,TC+TD)
によって与えられ、Yが、前記ダウンリンクタイミングアドバンスであり、delta2が、D2D送信のために使用されることになる前記少なくとも1つの時間周波数リソースから前記セルラ通信システムのダウンリンク受信リソースに切り替えるための遷移時間であり、TCが、前記セルラ通信システムの最大予想伝搬遅延であり、TDが、D2Dデバイス同士の間の最大予想伝搬遅延であるか、または、
前記セルラ通信システムが異種ネットワークとして展開され、D2D通信のために使用されることになる前記少なくとも1つの時間周波数リソースが前記セルラ通信システムのアップリンクリソースに組み込まれるとき、前記ダウンリンクタイミングアドバンスが、以下の式、すなわち、
Y=delta4+TD+2*TC
によって与えられ、Yが、前記ダウンリンクタイミングアドバンスであり、delta4が、D2D受信のために使用されることになる前記少なくとも1つの時間周波数リソースから前記セルラ通信システムのアップリンク送信リソースに切り替えるための遷移時間であり、TCが、前記セルラ通信システムの最大予想伝搬遅延であり、TDが、D2Dデバイス同士の間の最大予想伝搬遅延であるか、または、
前記セルラ通信システムが同種ネットワークとして展開され、D2D通信のために使用されることになる前記少なくとも1つの時間周波数リソースが前記セルラ通信システムのダウンリンクリソースに組み込まれるとき、前記ダウンリンクタイミングアドバンスが、以下の式、すなわち、
Y=max(delta2,(2-√3)*TC+2*TD)
によって与えられ、Yが、前記ダウンリンクタイミングアドバンスであり、delta2が、D2D送信のために使用されることになる前記少なくとも1つの時間周波数リソースから前記セルラ通信システムのダウンリンク受信リソースに切り替えるための遷移時間であり、TCが、前記セルラ通信システムの最大予想伝搬遅延であり、TDが、D2Dデバイス同士の間の最大予想伝搬遅延であるか、または、
前記セルラ通信システムが同種ネットワークとして展開され、D2D通信のために使用されることになる前記少なくとも1つの時間周波数リソースが前記セルラ通信システムのアップリンクリソースに組み込まれるとき、前記ダウンリンクタイミングアドバンスが、以下の式、すなわち、
Y=delta4+TD+2*TC
によって与えられ、Yが、前記ダウンリンクタイミングアドバンスであり、delta4が、D2D受信のために使用されることになる前記少なくとも1つの時間周波数リソースから前記セルラ通信システムのアップリンク送信リソースに切り替えるための遷移時間であり、TCが、前記セルラ通信システムの最大予想伝搬遅延であり、TDが、D2Dデバイス同士の間の最大予想伝搬遅延であるか、または、
D2D通信のために使用されることになる前記少なくとも1つの時間周波数リソース上で送信されるD2Dシンボルの数nが、以下の式、すなわち、
【数１】
2016506133.tif 000001
によって与えられ、Gが、割り振られたD2Dリソース終点と割り振られたD2Dリソース始点との間の差であり、Xが、前記ダウンリンクタイミングオフセットであり、Yが、前記ダウンリンクタイミングアドバンスであり、SLがシンボル長であり、
特に、D2D通信のために使用されることになる前記少なくとも1つの時間周波数リソース上のD2D送信持続期間Lが、以下の式、すなわち、
L=n*SL
によって与えられる、
請求項2に記載の方法または請求項6に記載の装置。
【請求項１３】
前記セルラ通信システムが異種ネットワークとして展開され、D2D通信のために使用されることになる前記少なくとも1つの時間周波数リソースが前記セルラ通信システムのダウンリンクリソースに組み込まれるとき、前記RTLOが、以下の式、すなわち、
RTLO=X+TC+TD
によって与えられ、Xが、前記ダウンリンクタイミングオフセットであり、TCが、前記セルラ通信システムの最大予想伝搬遅延であり、TDが、D2Dデバイス同士の間の最大予想伝搬遅延であるか、または、
前記セルラ通信システムが異種ネットワークとして展開され、D2D通信のために使用されることになる前記少なくとも1つの時間周波数リソースが前記セルラ通信システムのアップリンクリソースに組み込まれるとき、前記RTLOが、以下の式、すなわち、
RTLO=X+TC+TD
によって与えられ、Xが、前記ダウンリンクタイミングオフセットであり、TCが、前記セルラ通信システムの最大予想伝搬遅延であり、TDが、D2Dデバイス同士の間の最大予想伝搬遅延であるか、または、
前記セルラ通信システムが同種ネットワークとして展開され、D2D通信のために使用されることになる前記少なくとも1つの時間周波数リソースが前記セルラ通信システムのダウンリンクリソースに組み込まれるとき、前記RTLOが、以下の式、すなわち、
RTLO=X+(2-√3)*TC+2*TD
によって与えられ、Xが、前記ダウンリンクタイミングオフセットであり、TCが、前記セルラ通信システムの最大予想伝搬遅延であり、TDが、D2Dデバイス同士の間の最大予想伝搬遅延であるか、または、
前記セルラ通信システムが同種ネットワークとして展開され、D2D通信のために使用されることになる前記少なくとも1つの時間周波数リソースが前記セルラ通信システムのアップリンクリソースに組み込まれるとき、前記RTLOが、以下の式、すなわち、
RTLO=X+(2-√3)*TC+2*TD
によって与えられ、Xが、前記ダウンリンクタイミングオフセットであり、TCが、前記セルラ通信システムの最大予想伝搬遅延であり、TDが、D2Dデバイス同士の間の最大予想伝搬遅延である、
請求項3に記載の方法または請求項8に記載の装置。
【請求項１４】
前記セルラ通信システムが異種ネットワークとして展開され、D2D通信のために使用されることになる前記少なくとも1つの時間周波数リソースが前記セルラ通信システムのダウンリンクリソースに組み込まれるとき、前記CPLが、以下の式、すなわち、
CPL=2*TC+TD
によって与えられ、TCが、前記セルラ通信システムの最大予想伝搬遅延であり、TDが、D2Dデバイス同士の間の最大予想伝搬遅延であるか、または、
前記セルラ通信システムが異種ネットワークとして展開され、D2D通信のために使用されることになる前記少なくとも1つの時間周波数リソースが前記セルラ通信システムのアップリンクリソースに組み込まれるとき、前記CPLが、以下の式、すなわち、
CPL=2*TC+TD
によって与えられ、TCが、前記セルラ通信システムの最大予想伝搬遅延であり、TDが、D2Dデバイス同士の間の最大予想伝搬遅延であるか、または、
前記セルラ通信システムが同種ネットワークとして展開され、D2D通信のために使用されることになる前記少なくとも1つの時間周波数リソースが前記セルラ通信システムのダウンリンクリソースに組み込まれるとき、前記CPLが、以下の式、すなわち、
CPL=2*(2-√3)*TC+2*TD
によって与えられ、TCが、前記セルラ通信システムの最大予想伝搬遅延であり、TDが、D2Dデバイス同士の間の最大予想伝搬遅延であるか、または、
前記セルラ通信システムが同種ネットワークとして展開され、D2D通信のために使用されることになる前記少なくとも1つの時間周波数リソースが前記セルラ通信システムのアップリンクリソースに組み込まれるとき、前記CPLが、以下の式、すなわち、
CPL=2*(2-√3)*TC+2*TD
によって与えられ、TCが、前記セルラ通信システムの最大予想伝搬遅延であり、TDが、D2Dデバイス同士の間の最大予想伝搬遅延である、
請求項9に記載の方法または装置。
【請求項１５】
コンピュータで実行されたとき請求項1乃至3、5、7、または9乃至14の何れかに記載の方法を実行するための命令を含む、コンピュータプログラム。